(57)【要約】      （修正有）【課題】消防用設備への認識度合いを向上させることができる表示灯を提供する。【解決手段】火災報知システム１において、少なくとも警報設備及び消火設備のいずれか一方である対象設備の位置を示す表示灯としての発信機２０は、画像を表示する表示部２１と、表示部に表示させる画像を制御する表示制御部としての制御部２５と、発報画像に対する操作を示す操作信号を取得する取得部２２と、取得部により取得される操作信号に基づいて、火災信号を送信するか否かを判定する判定部２３と、判定部により判定された結果に応じて火災信号を送信する通信部２４と、を備える。【選択図】図１
2020129300.tif 000002
【特許請求の範囲】
【請求項１】
少なくとも警報設備及び消火設備のいずれか一方である対象設備の位置を示す表示灯であって、
画像を表示する表示部と、
前記表示部に表示させる画像を制御する表示制御部と、
を備える表示灯。
【請求項２】
前記表示制御部は、前記表示部に前記対象設備の位置を示す表示灯画像を表示させる、
請求項１に記載の表示灯。
【請求項３】
前記表示灯は、警報装置の位置を示す表示灯であって、
前記警報設備は、火災の発生を示す火災信号に対する応答信号を受信し、前記応答信号に対する警戒の解除を示す解除信号を受信し、
前記表示制御部は、前記表示部に前記表示灯画像を表示させている状態において、前記応答信号が前記警報設備により受信された場合において前記表示部に前記応答信号が受信されたことを示す応答灯画像を表示させ、前記表示部に前記応答灯画像を表示させている状態において前記解除信号が前記警報設備により受信された場合において前記表示部に前記表示灯画像を表示させる
請求項２に記載の表示灯。
【請求項４】
前記表示灯は、消火設備に設けられた警報装置の位置を示す表示灯であって、
前記表示制御部は、前記警報設備から火災の発生を示す火災信号を送信するための発報画像を表示させる、
請求項２又は請求項３に記載の表示灯。
【請求項５】
前記表示灯は、消火設備に設けられた警報装置の位置を示す表示灯であって、
前記警報設備は、火災の発生を示す火災信号を受信機に送信し、
前記表示制御部は、前記表示部に前記表示灯画像を表示させている状態において、前記警報設備により前記火災信号が送信された場合、前記消火設備の使用方法を示す所定のガイダンス画像を表示させる、
請求項２から請求項４の何れか一項に記載の表示灯。
【請求項６】
前記表示制御部は、前記表示部に前記消火設備の種別に応じた前記ガイダンス画像を表示させる
請求項５に記載の表示灯。
【請求項７】
前記表示制御部は、火災の発生を示す火災信号が送信されていない通常状態において、前記表示部に前記表示灯画像とは異なる画像を表示させる、
請求項２から請求項６の何れか一項に記載の表示灯。
【請求項８】
前記表示制御部は、前記表示灯画像、及び前記表示灯画像とは異なる画像を切り替えて表示部に表示させる、
請求項７に記載の表示灯。
【請求項９】
前記表示制御部は、単位時間あたりにおける前記表示灯画像を表示させる時間を、前記表示灯画像とは異なる画像を表示させる時間よりも長い時間とする、
請求項８に記載の表示灯。
【請求項１０】
画像を表示する表示部と、
前記表示部に火災の発生を示す火災信号を送信するための発報画像を表示させる表示制御部と、
前記発報画像に対する操作を示す操作信号を取得する取得部と、
前記取得部により取得される前記操作信号に基づいて、前記火災信号を送信するか否かを判定する判定部と、
前記判定部により判定された結果に応じて火災信号を送信する通信部と、
を備える発信機。
【請求項１１】
前記判定部は、前記操作信号に基づいて、前記発報画像が押された力の大きさを判定し、前記発報画像が所定の圧力以上で押された場合に、火災信号を送信すると判定する
請求項１０に記載の発信機。
【請求項１２】
前記判定部は、前記操作信号に基づいて、前記発報画像が押された時間を判定し、前記発報画像が所定の時間以上押され続けた場合に、火災信号を送信すると判定する
請求項１０に記載の発信機。
【請求項１３】
前記表示部には、前記表示部の表示画面を保護する保護板が設けられる
請求項１０から請求項１２の何れか一項に記載の発信機。
【請求項１４】
前記発信機は、消火設備又はその近傍に設けられ、火災の発生を示す火災信号を受信機に送信し、
前記表示制御部は、前記表示部に前記発報画像を表示させている状態において、前記発信機により前記火災信号が送信された場合、前記消火設備の使用方法を示す所定のガイダンス画像を表示させる、
請求項１０から請求項１３の何れか一項に記載の発信機。
【請求項１５】
前記表示制御部は、火災の発生を示す火災信号が送信されていない通常状態において、前記表示部に前記発報画像とは異なる画像を表示させる、
請求項１０から請求項１４の何れか一項に記載の発信機。
【請求項１６】
前記表示制御部は、前記発報画像、及び前記発報画像とは異なる画像を切り替えて表示部に表示させる、
請求項１５に記載の発信機。
【請求項１７】
前記表示制御部は、単位時間あたりにおける前記発報画像を表示させる時間を、前記発報画像とは異なる画像を表示させる時間よりも長い時間とする、
請求項１６に記載の発信機。
【請求項１８】
少なくとも警報設備及び消火設備のいずれか一方である対象設備の位置を示す表示灯の表示方法であって、
表示部が、画像を表示し、
表示制御部が、前記表示部に表示させる画像を制御する、
表示方法。
【請求項１９】
前記表示制御部は、火災の発生を示す火災信号が送信されていない通常状態において、前記表示部に前記対象設備の位置を示す表示灯画像、及び前記表示灯画像とは異なる画像を表示させる、
請求項１８に記載の表示方法。
【請求項２０】
前記表示制御部は、前記表示灯画像、及び前記表示灯画像とは異なる画像を切り替えて表示部に表示させる、
請求項１９に記載の表示方法。
【請求項２１】
前記表示制御部は、単位時間あたりにおける前記表示灯画像を表示させる時間を、前記表示灯画像とは異なる画像を表示させる時間よりも長い時間とする、
請求項２０に記載の表示方法。
【請求項２２】
表示制御部が、画像を表示する表示部に火災の発生を示す火災信号を送信するための発報画像を表示させ、
取得部が、前記発報画像に対する操作を示す操作信号を取得し、
判定部が、前記取得部により取得される前記操作信号に基づいて、前記火災信号を送信するか否かを判定し、
通信部が、前記判定部により判定された結果に応じて火災信号を送信する
信号発信方法。
【発明の詳細な説明】
【技術分野】
【０００１】
本発明は、表示灯、発信機、表示方法、及び信号発信方法に関する。
【背景技術】
【０００２】
従来から、消防用設備として、警報設備や消火設備が利用されている。警報設備は、例えば、表示灯、音響装置、発信機などが防災機器収容箱に収容され、設置される。このような防災機器収容箱としては、例えば、特許文献１に記載された防災機器収容箱がある。また、消火設備としての消火栓装置は、例えば、バルブに長尺の折り畳み可能なフラットホースが接続され、その先端にノズルが接続される。このような消火栓装置としては、例えば、特許文献２に記載された消火栓装置がある。
【０００３】
また、このような消防用設備の活用状況について調査や報告が行われている（例えば非特許文献１）。この報告によれば、消防用設備のうち、消火器具等を使用する必要があったと判断される火災のうち消火器具等が実際に使用されたケースは、５６．１％（使用率）であり、そのうち効果的に使用されたケースは７４．７％（奏効率）である。
【先行技術文献】
【特許文献】
【０００４】
【特許文献１】特開平９−１０２０８５号公報
【特許文献２】特開２００４−２３６９１８号公報
【非特許文献】
【０００５】
【非特許文献１】”平成３０年版  火災の実態”、［online］、  平成３０年８月  東京消防庁  電子図書館、［平成３０年８月２７日検索］、インターネット〈URL:http://www.tfd.metro.tokyo.jp/hp-cyousaka/kasaijittai/h27/1-7.pdf〉
【発明の概要】
【発明が解決しようとする課題】
【０００６】
しかしながら、消防用設備については、活用されやすくするためには、消防用設備が設置されていることを日常的に認識してもらうことが必要である。従来の消防用設備では、表示灯の視認性を高めること、発信機の色を赤に統一して発信機であることを識別しやすくすること、屋内消火栓の筐体外観部分に「消火栓」等の文字を表記すること、等によって、周囲の人に消防用設備が設置されていることを認識してもらいやすい工夫がなされているものの、実際には、非特許文献１に記載されているように、消防用設備の利用率は半数程度であり、そのうち奏効率は８割弱程度となっている。そのため、火災が生じたケース全体から考えると、消防用設備の活用をさらに促進させる余地はある。消防用設備の活用をより促進するためには、従来の方法とは異なる方法で、消防用設備に対する周囲の人の認識度合いをさらに向上させることが考えられる。
【０００７】
本発明は、このような事情に鑑みてなされたもので、その目的は、消防用設備への認識度合いを向上させることができる表示灯、発信機、表示方法、及び信号発信方法を提供することにある。
【課題を解決するための手段】
【０００８】
上述した課題を解決するために、本発明の一実施形態は、少なくとも警報設備及び消火設備のいずれか一方である対象設備の位置を示す表示灯であって、画像を表示する表示部と、前記表示部に表示させる画像を制御する表示制御部と、を備える表示灯である。
【０００９】
また、本発明の一実施形態は、画像を表示する表示部と、前記表示部に火災の発生を示す火災信号を送信するための発報画像を表示させる表示制御部と、前記発報画像に対する操作を示す操作信号を取得する取得部と、前記取得部により取得される前記操作信号に基づいて、前記火災信号を送信するか否かを判定する判定部と、前記判定部により判定された結果に応じて火災信号を送信する通信部と、を備える発信機である。
【００１０】
また、本発明の一実施形態は、少なくとも警報設備及び消火設備のいずれか一方である対象設備の位置を示す表示灯の表示方法であって、表示部が、画像を表示し、表示制御部が、前記表示部に表示させる画像を制御する、表示方法である。
【００１１】
また、本発明の一実施形態は、表示制御部が、画像を表示する表示部に火災の発生を示す火災信号を送信するための発報画像を表示させ、取得部が、前記発報画像に対する操作を示す操作信号を取得し、判定部が、前記取得部により取得される前記操作信号に基づいて、前記火災信号を送信するか否かを判定し、通信部が、前記判定部により判定された結果に応じて火災信号を送信する信号発信方法である。
【発明の効果】
【００１２】
以上説明したように、この発明によれば、警報設備と消火設備のうち少なくともいずれか一方に表示部を設けるようにしたので、警報設備や消火設備であっても、各種情報を表示することができる。これにより、従来の警報設備や消火設備とは異なる方法を用い、消防用設備に対する周囲の人の目を引くことで、警報設備や消火設備に対する意識を向上させることが可能となり、消防用設備に対する認識度合いを向上させることができる。
【図面の簡単な説明】
【００１３】
【図１】第１の実施形態の発信機２０に適用される火災報知システム１の構成を示すブロックである。
【図２】第１の実施形態の記憶部２６に記憶される発信機情報の構成例を示す図である。
【図３】第１の実施形態の表示部２１の表示例及び操作例を示す図である。
【図４】第１の実施形態の発信機２０の動作例を示すフローチャートである。
【図５】第２の実施形態の表示部２１の表示例及び操作例を示す図である。
【発明を実施するための形態】
【００１４】
以下、本発明の一実施形態について図面を参照して説明する。
【００１５】
（第１の実施形態）
まず、第１の実施形態について説明する。
図１は、第１の実施形態の発信機２０が適用される火災報知システム１の構成を示すブロックである。火災報知システム１は、例えば、受信機１０及び発信機２０を備える。発信機２０は、「警報装置」の一例である。
受信機１０は、発信機２０により送信される火災信号を受信し、受信した信号の内容に応じて火災警報等を行う。また、受信機１０は、発信機２０から火災信号を受信した場合、発信機２０に、火災信号を受信したことを示す応答信号を送信する。
発信機２０は、人の操作により火災信号を受信機１０に送信する。また、発信機２０は、受信機１０から応答信号を受信する。発信機２０は、例えば、表示部２１、取得部２２、判定部２３、通信部２４、制御部２５及び記憶部２６を備える。制御部２５は「表示制御部」の一例である。
【００１６】
表示部２１は、例えば、制御部２５の制御に基づいて、画像を表示する、液晶ディスプレイ（ＬＣＤ；Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏｌｕｍｉｎｅｓｃｅｎｃｅ）ディスプレイ、またはＣＲＴ（Ｃａｔｈｏｄｅ  Ｒａｙ  Ｔｕｂｅ）等のディスプレイである。
【００１７】
表示部２１は、火災の状況に応じた画像を表示する。この火災の状況は、火災が発生していない状態から、火災が発生し、その後火災が消し止められるまでの状況であり、例えば、通常状態と、応答状態とがある。通常状態とは、火災信号が送信されていない状態であり、火災が発生していないか、或いは火災が発見されていない状態である。応答状態とは、発信機２０が、火災信号に応答したことを示す応答信号を受信機１０から受信してから、火災の鎮火時において火災に対する警戒の解除を示す解除信号を受信機１０から受信するまでの状態である。
【００１８】
表示部２１は、通常状態において、火災信号を送信するための発報釦の画像２１１（図３参照）を表示する。ここで、画像２１１は「発報画像」の一例である。
また、表示部２１は、通常状態において、表示灯の画像２１２（図３参照）を表示してよい。画像２１２は、受信機１０の位置を示す表示である。受信機１０が屋内消火栓設備に設けられている場合には、画像２１２は、屋内消火栓設備の位置を示す表示を兼ねてよい。ここで、画像２１２は「表示灯画像」の一例である。
【００１９】
また、表示部２１は、応答状態において、応答灯の画像２１３（図３参照）を表示してよい。画像２１３は、発信機２０が受信機１０から応答信号を受信したことを示す画像であり、例えば、点灯又は点滅を伴う画像である。ここで、画像２１３は「応答灯画像」の一例である。
【００２０】
取得部２２は、画像２１１に対する操作を示す操作信号を取得する。例えば、取得部２２は、画像２１１に加えられた力を電圧に変換する圧電素子（不図示）から画像２１１に加えられた力を取得する。取得部２２は、取得した操作信号を判定部２３に出力する。
【００２１】
判定部２３は、取得部２２により取得された操作信号に基づいて火災信号を送信するか否かを判定する。判定部２３は、例えば、画像２１１に加えられた力の大きさに基づいて、画像２１１に対して所定の圧力以上で押す操作が行われた場合に火災信号を送信すると判定する。
この所定の圧力は、例えば、予め記憶部２６に記憶されてよい。この場合、判定部２３は、記憶部２６を参照することにより当該所定の圧力を取得する。
【００２２】
通信部２４は、受信機１０との通信を行う。通信部２４は、受信機１０に火災信号を送信し、受信機１０から応答信号を受信する。
制御部２５は、発信機２０を統括的に制御する。制御部２５は、通常状態において表示部２１に画像２１１を表示させる。また、制御部２５は、通常状態において、表示部２１に、画像２１１と共に、画像２１２を表示させる。
また、制御部２５は、判定部２３により火災信号を送信すると判定された場合、通信部２４を介して火災信号を受信機１０に送信する。
また、制御部２５は、受信機１０から応答信号を受信した場合、応答状態となったとして表示部２１に画像２１３を表示させる。
画像２１１〜２１３の画像情報は、例えば、予め記憶部２６に記憶されてよい。この場合、判定部２３は、記憶部２６を参照することにより、画像２１１〜２１３のうち、表示部２１に表示させる画像情報を取得し、取得した画像情報に対応する画像を表示部２１に表示させる。
【００２３】
記憶部２６は、発信機２０に関する発信機情報を記憶する。
図２は、第１の実施形態の記憶部２６に記憶される発信機情報の構成例を示す図である。
図２に示すように、発信機情報は、例えば、発信機ＩＤ、圧力閾値、発報釦画像、表示灯画像、及び応答灯画像の各項目を備える。発信機ＩＤには、発信機２０を一意に識別する識別情報が示される。圧力閾値には、発信機ＩＤに対応する発信機２０が火災信号を送信すると判定される場合における画像を押す圧力の閾値が示される。発報釦画像には、表示部２１に表示する画像２１１の画像情報が示される。表示灯画像には、表示部２１に表示する画像２１２の画像情報が示される。応答灯画像には、表示部２１に表示する画像２１３の画像情報が示される。
【００２４】
図３は、第１の実施形態の表示部２１の表示例及び操作例を示す図である。
図３に示すように、表示部２１は、例えば、発信機２０の画像２１０を表示する。画像２１０には、従来の発信機の外観と同様に、円形の発信機本体の略中央に、「強く押す」と記載された画像２１１が示される。また、発信機本体の外周を囲むようにして、円環状の画像２１２、２１３が示される。この例では、この円環状の画像を点灯させることで表示灯を表現し、円環状の画像を点滅させることで応答灯を表現する。また、この例に示すように、画像２１０には、「火災報知器」と記載された表示板が示されていてもよい。従来の発信機の外観と同様な画像を表示することにより、人が発信機を認識し易くなり、操作も容易となる。
また、図３に示すように、火災が発見された場合、画像２１１に対して、例えば指Ｆにより画像２１１が押されることにより操作がなされる。
【００２５】
なお、画像２１１〜２１３は、この例に限定されることはなく、任意の画像であってよい。
また、この例では、画像２１２、２１３が点灯と点滅により表現される場合を例示したが、これに限定されない。画像２１３は、画像２１２とは別の異なる任意の画像であってよいし、画像２１２が示される位置とは異なる位置に表示される画像であってよい。
【００２６】
図４は、第１の実施形態の発信機２０の動作例を示すフローチャートである。本フローチャートにおいては、通常状態から火災信号を送信し、応答信号を受信するまでの動作の流れを示している。
まず、発信機２０は、通常状態において、表示部２１に画像２１１、および表示灯の画像２１２を表示させる（ステップＳ１０）。
次に、発信機２０は、画像２１１が押されたか否かを判定する（ステップＳ１１）。発信機２０は、取得部２２により画像２１１に対する操作を示す信号が取得された場合に、画像２１１が押されたと判定する。
発信機２０は、画像２１１が押されたと判定した場合、判定部２３により所定の圧力以上の力で押されたか否かを判定する（ステップＳ１２）。
発信機２０は、画像２１１が所定の圧力以上の力で押されたと判定する場合、通信部２４を介して火災信号を受信機１０に送信する（ステップＳ１３）。
発信機２０は、受信機１０より応答信号を受信したか否かを判定し（ステップＳ１４）、受信機１０より応答信号を受信した場合、画像２１３を表示させる（ステップＳ１５）。
【００２７】
一方、発信機２０は、ステップＳ１１に示す処理において画像２１１が押されていないと判定する場合、及びステップＳ１２に示す処理において画像２１１が所定の圧力以上の力で押されていないと判定する場合、ステップＳ１１に示す処理に戻る。
また、発信機２０は、ステップＳ１４に示す処理において受信機１０より応答信号を受信していないと判定する場合、ステップＳ１１に示す処理に戻り、応答信号の受信を待つ。
【００２８】
以上説明したように、第１の実施形態の発信機２０は、画像を表示する表示部２１と表示部２１に火災の発生を示す火災信号を送信するための発報釦の画像２１１を表示させる制御部２５と、画像２１１に対する操作を示す操作信号を取得する取得部２２と、取得部２２により取得される操作信号に基づいて、火災信号を送信するか否かを判定する判定部２３と、判定部２３により判定された結果に応じて火災信号を送信する通信部２４を備える。これにより、第１の実施形態の発信機２０は、表示部２１に表示させた画像２１１に操作がなされた場合に、火災信号を受信機１０に送信することができる。表示部２１に画像２１１を表示させることで、消防用設備への認識度合いを向上させることができる。
【００２９】
また、第１の実施形態の発信機２０では、判定部２３は、画像２１１を所定の圧力以上で押す操作が行われた場合に、火災信号を送信すると判定する。これにより、第１の実施形態の発信機２０は、画像２１１が所定の圧力以上の強い力で押された場合に火災信号を送信することができ、画像２１１が所定の圧力未満の力で単に触れられただけでは火災信号を送信しないようにして、火災が発生していないにもかかわらず誤って画像２１１に触れてしまい、火災信号が送信されてしまうような誤発報を抑制できる。
【００３０】
また、第１の実施形態の発信機２０では、表示部２１は、画像２１１と共に発信機の位置を示す画像２１２を表示するようにしてもよい。これにより、第１の実施形態の発信機２０は、発信機の位置を示すことができ、人が発信機２０の所在をより確実に把握することが可能である。
【００３１】
また、第１の実施形態の発信機２０では、通信部２４は、火災信号を受信した受信機１０からの応答信号を受信し、表示部２１は、通信部２４により応答信号が受信された場合に、応答信号が受信されたことを示す画像２１３を表示するようにしてもよい。これにより、第１の実施形態の発信機２０は、応答信号を受信したことを示すことができる。
【００３２】
（第１の実施形態の変形例１）
次に、第１の実施形態の変形例１について説明する。本変形例では、表示部２１の表示画面に保護板が設けられる点において、上述した実施形態と異なる。この保護板は、表示画面の強度が強くない場合において、強く押されることにより画面が破損してしまうことを抑制する目的で取り付けられる。
本変形例では、取得部２２は、保護板に加えられた力の大きさを示す信号を、操作信号として取得する。
【００３３】
また、本変形例において、保護板は、従来の発信機に取り付けられている保護板と同様に、強く押されることで奥側に押し込まれてロック機構が押し外される構成であってもよい。
この場合、取得部２２は、保護板のロック機構が押し外されたか否かを示す信号を、操作信号として取得する。
そして、判定部２３は、保護板のロック機構が押し外された場合に火災信号を送信すると判定する。
【００３４】
以上説明したように、第１の実施形態の変形例１の発信機２０では、表示部２１の表示画面に保護板が設けられる。これにより、第１の実施形態の変形例１の発信機２０では、強く押されることにより表示画面が破損してしまうことを抑制することができる。
また、第１の実施形態の変形例１の発信機２０では、表示部２１の表示画面に、強く押されることでロック機構が押し外される保護板が設けられてもよい。これにより、第１の実施形態の変形例１の発信機２０では、上述した効果と同様の効果を奏する他、ロック機構が押し外されたか否かにを判定するだけで、容易に火災信号を送信するか否かを判定することができる。
【００３５】
（第１の実施形態の変形例２）
次に、第１の実施形態の変形例２について説明する。本変形例では、画像２１１が長押しされた場合に、火災信号を送信する点において、上述した実施形態と異なる。
本変形例では、表示部２１は、例えばタッチパネルである。
この場合、取得部２２は、当該タッチパネルのタッチ機能を実現する機能部である。取得部２２は、表示部２１の表示画面に対する操作を示す操作信号を取得し、取得した操作信号を判定部２３に出力する。
判定部２３は、取得部２２により取得された操作信号に基づいて、画像２１１が所定の時間以上押され続けた場合に、火災信号を送信すると判定する。
この所定の時間は、例えば、記憶部２６に予め記憶されていてよい。この場合、判定部２３は、記憶部２６を参照して、当該所定の時間を取得する。
【００３６】
以上説明したように、第１の実施形態の変形例２の発信機２０では、取得部２２は、表示部２１の表示画面に対する操作を示す操作信号を取得し、判定部２３は、取得部２２により取得された操作信号に基づいて、画像２１１が所定の時間以上押され続けた場合に、火災信号を送信すると判定する。これにより、第１の実施形態の変形例２の発信機２０では、これにより、第１の実施形態の変形例２の発信機２０は、強い力で押される代わりに、画像２１１が長押しされた場合に火災信号を送信することができ、表示画面の強度が強くない場合であっても画面を保護する保護板を設けなくともよい。また、画像２１１に短時間触れただけでは火災信号を送信しないようにすることができるため、上述した効果と同様の誤発報を抑制する効果を奏する。
【００３７】
（第２の実施形態）
次に、第２の実施形態について説明する。本実施形態では、発信機２０が屋内消火栓設備、又はその近傍に設けられる点、及び、火災の状況に応じて、屋内消火栓設備の使用方法を案内（ガイダンス）する画像（以下、ガイダンスの画像と称する）を表示する点において、上述した実施形態と異なる。ここで、屋内消火栓設備は「消火設備」の一例である。
【００３８】
制御部２５は、火災の状況に応じて、表示部２１にガイダンスの画像２１５（図５参照）を表示する。ここで、画像２１５は「ガイダンス画像」の一例である。
制御部２５は、例えば、発信機２０が、火災信号を受信機１０に送信した後である。火災が発見され、火災信号が送信された後に、ガイダンス画像を表示させることにより、火災を発見した人が、ガイダンス画像を見て屋内消火栓設備を使用でき、初期消火を行うことが可能である。
【００３９】
図５は、第２の実施形態の表示部２１の表示例及び操作例を示す図である。
図５に示すように、表示部２１は、例えば、画像２１４を表示する。画像２１４には、画像２１５、及び画像２１５の外周を囲むように配された表示灯又は応答灯を示す円環状の画像２１２、２１３が示される。
画像２１５は、屋内消火栓設備の使用方法が順に示される。この例では、１号消火栓の使用方法の例が示されており、まず発信機のボタンを押下して消火栓のポンプを起動させ、消火栓の扉を開くこと、次にノズルを取り出してホースを引き伸ばし、放水姿勢をとること、そして放水側と給水側で声を掛け合って開閉弁を開いて放水することが、図解により示されている。
【００４０】
このように、画像２１５は、発信機２０が設けられている屋内消火栓設備の種別に応じて、その種別の屋内消火栓設備の使用方法を案内するものであってよい。例えば、発信機２０が易操作性１号消火栓、又は２号消火栓に設けられた場合には、制御部２５は表示部２１にその消火栓の使用方法を案内する画像を表示する。
【００４１】
発信機２０が何れの種別の屋内消火栓設備に設けられているかは、例えば、記憶部２６に予め記憶されていてよい。この場合、制御部２５は、記憶部２６を参照して、発信機２０が設けられている屋内消火栓設備の種別を取得し、取得した屋内消火栓設備の種別に応じた画像２１５を表示部２１に表示させる。
【００４２】
また、図５に示すように、画像２１５に対して、例えば指Ｆによるタッチ操作が行われてもよい。この場合、表示部２１は、例えば、タッチパネルである。また、画像２１５に対して行われる操作は、例えば、画像を拡大させたりスライドさせたりする操作である。
【００４３】
以上説明したように、第２の実施形態の発信機２０は屋内消火栓設備に設けられ、表示部２１は、火災の状況が消火状態である場合、屋内消火栓設備の使用方法について案内する画像２１５を表示する。これにより、第２の実施形態の発信機２０は、発信機２０が設けられている屋内消火栓設備の使用方法を表示することができ、消火栓を使用しようとする人に使用方法を伝えることができるため、適切に消火栓が使用されて火災を初期段階で消火することが可能となる。消火栓が利用されることで、消防用設備への認識度合いを向上させることができる。
【００４４】
また、第２の実施形態の発信機２０では、表示部２１は、発信機２０が設けられている屋内消火栓の種別に応じて互いに異なる画像２１５を表示する。これにより、第２の実施形態の発信機２０は、発信機２０が設けられている屋内消火栓設備の種別に応じた使用方法を表示することができ、消火栓の種別に応じた使用方法を伝えることができるため、より確実に消火栓を使用することが可能となる。
【００４５】
上述した実施形態においては、発信機２０における表示部２１、制御部２５の機能を発信機２０や消火設備の位置を示す表示灯として構成するようにしてもよい。
この場合、表示灯は、制御部２５の制御に基づいて、表示部２１に画像を表示する。表示部２１は、広告画像、或いは、海や森などの自然の風景を示す環境画像、気象情報、火災予防を啓蒙するポスターなどを表示させてもよい。
また、表示灯は、上述した表示灯の画像２１２を表示するようにしてもよい。
また、表示灯が、発信機２０の位置を示すものである場合には、制御部２５は発信機２０の通信部２４からの信号を取得する。制御部２５は、発信機２０により応答信号が受信された場合に、応答灯の画像２１３を表示させるようにしてもよい。この場合、表示灯は「警報設備に設けられた表示灯」の一例である。
また、表示灯が、発信機２０が設けられた屋内消火栓設備の位置を示すものである場合、発信機２０により火災信号が送信された場合に、ガイダンスの画像２１５を表示してもよい。この場合、表示灯は「消火設備に設けられた表示灯」の一例である。このガイダンスの画像２１５は、表示灯が設けられている屋内消火栓の種別に応じたものであってよい。
表示灯が、表示灯の画像、応答灯の画像、ガイダンスの画像、火災予防啓蒙ポスター画像等、様々な画像を表示することで、周囲に防災設備への認識度合いを向上させることができる。
【００４６】
表示灯は、通常状態において、表示灯の画像２１２、広告画像、環境画像、気象情報、及び火災予防を啓蒙するポスターなどを、時間で切り替えて表示するようにしてもよい。この場合において、当該表示灯は、表示灯の画像２１２と、画像２１２とは異なる広告画像等の画像（以下、表示灯以外の画像という）とで、画像を表示させるタイミング及び表示させる時間を異なるようにしてもよい。この場合、当該表示灯は、単位時間あたりにおける、表示灯の画像２１２が表示される時間を、表示灯以外の画像が表示される時間よりも長い時間となるようにする。
例えば、当該表示灯は、表示灯の画像２１２を表示させる頻度を、表示灯以外の画像を表示させる頻度よりも、大きな（高い）頻度とする。或いは、当該表示灯は、一回の表示において表示灯の画像２１２を表示させる時間を、表示灯以外の画像を表示させる時間よりも、長い時間とする。
これにより、当該表示灯は、発信機や消火栓設備（「対象設備」の一例）の位置を知らせるという、本来の表示灯としての機能を発揮することができる。
【００４７】
また、上述した実施形態における発信機２０についても、同様な表示を行ってもよい。すなわち、発信機２０は、通常状態において、発報釦の画像２１１、及び広告画像などの発報釦以外の画像を順次切り替えて表示するようにしてもよい。この場合において、発信機２０は、単位時間あたりにおける、発報釦の画像２１１を表示させる時間を、発報釦以外の画像を表示させる時間よりも長い時間とする。
例えば、発信機２０は、発報釦の画像２１１を表示させる頻度を、発報釦以外の画像を表示させる頻度よりも、大きな（高い）頻度とする。或いは、発信機２０は、一回の表示において発報釦の画像２１１を表示させる時間を、発報釦以外の画像を表示させる時間よりも、長い時間とする。
これにより、発信機２０は、火災の発生を発報するという、本来の発信機としての機能を発揮することができる。
【００４８】
（実施形態の変形例）
次に、実施形態の変形例について説明する。本変形例では、上述した発信機２０、又は表示灯が、受信機１０の表示部（不図示）に表示される内容を表示する点において、上述した実施形態と相違する。
受信機１０の表示部は、例えば、応答状態において、発報が行われた発信機の設置位置や、発報が行われた時刻を表示する。また、受信機１０の表示部は、通常状態及び応答状態において、各種の火災ガイダンスを表示する。火災ガイダンスとは、火災が発生した場合に必要な対応を案内（ガイダンス）する画像であり、例えば、消防署への通報、避難誘導、消火活動、防火管理者への通報などを案内する画像である。火災ガイダンスは、例えば、受信機１０の表示部にアイコン画像で表示されており、ユーザの操作により当該アイコン画像が選択された場合に、当該選択されたアイコン画像に応じたガイダンスの内容を具体的に文字や図を用いて説明する画像が表示される。
【００４９】
発信機２０又は表示灯は、例えば、応答信号を受信すると共に、受信機１０の表示部に表示させる画像や情報の内容を示す画像の情報（以下、受信機画像情報という）を、受信機１０から受信する。そして、発信機２０又は表示灯は、応答信号に応じて応答灯の画像２１３を表示すると共に、受信した受信機画像情報に応じた画像の全部又は一部（例えば、発報が行われた発信機の設置位置や、発報が行われた時刻）を表示する。
なお、発信機２０又は表示灯は、通常状態においても、受信機画像情報を受信機１０から受信し、受信した受信機画像情報に応じた画像の全部又は一部（例えば、各種の火災ガイダンス）を表示するようにしてもよい。
【００５０】
また、上述した発信機２０又は表示灯が、建物内に複数設けられており、これらの複数の発信機２０又は表示灯が同一の受信機１０に接続されることにより火災報知システム１が構成されている場合、火災が発報された状況や、時間の経過に応じて、複数の発信機２０、又は表示灯のうちの全部又は一部に、受信機１０の表示部に表示される内容を表示させるようにしてもよい。
例えば、火災が発報された直後には、当該発報が行われた発信機２０が位置するフロアに設置された表示灯及び発信機２０のみが、受信機１０の表示部に表示される画像等を表示する。そして、火災が発報された後、所定時間が経過した場合において、未だ警戒が解除されていない場合には、建物内の全てのフロアにおける表示灯及び発信機２０が、受信機１０の表示部に表示される画像等を表示する。
【００５１】
発信機２０又は表示灯は、受信機画像情報と共に、発報が行われた発信機２０が位置するフロア、発報が行われた時刻などを示す属性情報を、受信機１０から受信する。また、発信機２０又は表示灯の記憶部（例えば、記憶部２６）には、建物内における発信機２０又は表示灯の設置フロアに関する設置情報が記憶される。
【００５２】
発信機２０又は表示灯は、受信した受信機画像情報と属性情報、及び自身の記憶部に記憶された設置情報を用いて、受信機１０の表示部に表示される画像の全部又は一部を表示する。
例えば、発信機２０又は表示灯は、属性情報に示される、発報が行われた発信機２０が位置するフロアと、設置情報として記憶される、自身が設置されているフロアとが同一のフロアであり、属性情報に示される発報が行われた時刻が、現在の時刻から所定の時間未満である場合には、受信機画像情報に対応する画像の全部又は一部（例えば、発報が行われた発信機の設置位置や、発報が行われた時刻）を表示する。
一方、発信機２０又は表示灯は、属性情報に示される、発報が行われた発信機２０が位置するフロアと、設置情報として記憶される、自身が設置されているフロアとが異なるフロアであり、属性情報に示される発報が行われた時刻が、現在の時刻から所定の時間未満である場合には、受信機画像情報に対応する画像を表示しない。
そして、発信機２０又は表示灯は、属性情報に示される、発報が行われた発信機２０が位置するフロアと、設置情報として記憶される、自身が設置されているフロアとが異なるフロアである場合において、属性情報に示される発報が行われた時刻が、現在の時刻から所定の時間以上が経過している場合には、受信機画像情報に対応する画像の全部又は一部（例えば、避難誘導を案内する画像）を表示する。
【００５３】
これにより、火災が発生した直後には、火災が発生したフロアに火災の発生を通知して当該フロアにおける消火活動や避難誘導などの対応を促すと共に、他のフロアには火災を通知しないようにすることにより、火災が直ちに消し止められた場合や、発報が誤報であった場合に、他のフロアにいる人々に不要な動揺を与えないようにすることができる。そして、所定時間が経過した場合において、未だ警戒が解除されていない場合には、火災が拡大する可能性があるとして、他のフロアにも火災の発生を通知して、避難誘導などの対応を促すことができる。
【００５４】
なお、上述した少なくとも一つの実施形態では、従来の物理的な発信機（或いは、従来の物理的な表示灯）と共に、表示部２１及び制御部２５が設けられる構成であってもよい。表示部２１は、広告画像、或いは、海や森などの自然の風景を示す環境画像、気象情報、火災予防を啓蒙するポスターなどを表示させてもよい。表示部２１にどのような画像を表示させるかを、発信機や表示灯を管理する管理者等が設定できるようにしてもよい。
【００５５】
ここで、従来の発信機には、例えば、電話ジャックや、非常電話を備えているものがある。電話ジャックは、非常時において受信機との通話に用いる受話器を接続するための接続部である。非常電話は、受話器が取り上げられることにより受信機に火災信号が送信され、火災信号を受信した受信機側の電話機が取り上げられることで、受信機側と発信機側と通話が可能となる設備である。
【００５６】
本実施形態の発信機２０に、上述したような、従来の発信機に備えられる電話ジャック、又は非常電話（以下、電話ジャック等）が設けられてもよい。この場合、電話ジャック等は、例えば、発信機２０の筐体内、又は発信機２０の近傍に設けられる。これにより、非常時において、受信機側と通話が可能となり、火災の状況などを詳細に伝えることができる。
なお、本実施形態の発信機２０は、信機２０と受信機１０との通話用のマイク及びスピーカを備えてもよい。発信機２０からの音声が当該マイクにより集音されて受信機１０に送信され、受信機１０からの音声が当該スピーカから出力されることにより、発信機２０と受信機１０との通話が可能である。つまり、当該マイク及びスピーカを、ハンズフリー電話として機能させることにより、非常時における通話を受話器なしでスムーズに行うことが可能である。
【００５７】
また、発信機２０の表示部２１が備えるタッチパネルが操作されることにより、受信機１０との通話に用いられる各種の信号が受信機１０に送信されるようにしてもよい。ここでの各種の信号とは、例えば、火災の状況や概要を伝える信号である。この場合、例えば、タッチパネルに「故障」、「救急」、「火災」のいずれかのアイコン画像が表示され、当該アイコン画像がタッチ操作されることにより、操作されたアイコン画像に対応する火災の状況が受信機１０に通知される。
【００５８】
また、本実施形態の火災報知システム１は、複数の発信機２０が、受信機１０と通信可能に接続される構成であってもよい。この場合、複数の発信機２０のうち一つの発信機２０から火災信号が送信（発報）された際に、受信機１０が残りの発信機２０に、他の発信機２０より火災信号が発報された旨の情報（発報情報）を通知するようにしてもよい。
発信機２０は、受信機１０から上述した発報情報を受信した場合、例えば、「他の発信機が発報しました」とのメッセージを表示部２１に表示するようにしてもよい。
また、発報情報に火災信号が発報された発信機の位置を示す情報が含まれている場合、発信機２０は、火災信号が発報された発信機の位置を表示部２１に表示してもよい。発信機２０は、「１Ｆロビー」など場所を文字で示すメッセージ等により位置を表示してもよいし、フロア平面図に火災信号が発報された発信機の位置を点滅させるなどして、画像により位置を表示するようにしてもよい。また、発信機２０は、上述したメッセージ（文字列）と平面図（画像）とを組み合わせて、火災信号が発報された発信機の位置を表示するようにしてもよい。
なお、発信機２０は、発報情報に限らず、受信機１０から受信した各種の情報を表示してもよい。ここでの各種の情報とは、例えば、火災予防を呼びかけるメッセージや画像、広告、或いは、火災の発生に備えて屋内消火栓設備などの使用方法を案内するガイダンスの画像などである。
【００５９】
発信機２０は、実際に火災が発生しているか否かの状況に応じてガイダンスの画像を表示するタイミングや表示の内容を制御するようにしてもよい。
発信機２０は、実際に火災が発生していない時、例えば、避難訓練を行っている時や消防用設備の点検時には、ガイダンスの対象となる画像の全体を表示する。ここでの画像の全体とは、ガイダンスの対象が消火栓設備の使用方法であれば、図５の例のように、（１）消火栓の扉を開ける操作、（２）ノズルを取り出してホースを引き伸ばす操作、及び（３）放水側と給水側で声を掛け合って開閉弁を開き放水する操作等、消火栓設備を使用するための一連の方法を、全て表示するものである。
【００６０】
一方、発信機２０は、実際に火災が発生した時、ガイダンスの対象の特定の操作を表示する。特定の操作とは、ガイダンスの対象が消火栓設備の使用方法であれば、図５に示す画像のコマ、つまり操作方法を示す画像の一つであり、上記（１）〜（３）の何れかの操作方法を示す画像の一つである。
例えば、発信機２０のボタンが押下された場合、発信機２０は、（１）の図を表示して消火栓の扉を開ける操作を行うように促す。次に、消火栓の扉が開放されたことを検知した場合、発信機２０は、（２）の図を表示してノズルを取出してホースを引伸ばす操作を行うように促す。消火栓の扉が開放されたか否かは、例えば、扉が開閉されることによる磁場の変化に基づいて開放を検知するマグネットセンサを用いて検知する。また、発信機２０は、（２）の図を表示した後、所定時間経過後に（３）の図を表示して、開閉弁を開いて放水を行うように促す。
これにより、実際に火災が発生し、消火栓設備が使用される場合には個々の操作を表示でき、より丁寧に操作方法をガイダンスすることができる。
なお、発信機２０は、特定の操作を示す複数の画像の各々を、所定の時間間隔で切り替えて表示するようにしてもよい。例えば、発信機２０は、上記（１）〜（３）の画像を、所定の時間間隔（例えば、３秒間隔）で順次切替えて表示するようにしてもよい。
【００６１】
上述した実施形態における発信機２０、表示灯の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００６２】
以上、この発明の実施形態について図面を参照して詳述してきたが、具体的な構成はこの実施形態に限られるものではなく、この発明の要旨を逸脱しない範囲の設計等も含まれる。
【符号の説明】
【００６３】
１…火災報知システム
１０…受信機
２０…発信機
２１…表示部
２２…取得部
２３…判定部
２４…通信部
２５…制御部
２６…記憶部
【図１】
2020129300.tif 000003
【図２】
2020129300.tif 000004
【図３】
2020129300.tif 000005
【図４】
2020129300.tif 000006
【図５】
2020129300.tif 000007